(57)【要約】【課題】収納庫から紙幣を回収する際、回収庫がフルの状態になったとき、回収庫でのジャムの発生を抑制する。【解決手段】収納庫から紙幣を回収庫１５に回収する際に、回収庫１５がフルになったとき、鑑別部１４で正常と鑑別され、センサ１９を通過していない紙幣を、ブレード１８ａの案内により入出金口１１に搬送し、集積する。【選択図】        図１
2006011691.tif 000002
【特許請求の範囲】
【請求項１】
入出金口と、
前記入出金口から入金される紙幣や、紙幣を格納しておく収納庫と、
前記入出金口と前記収納庫の間で紙幣の金種等の鑑別を行う鑑別部と、
前記収納庫から紙幣を回収するときに、前記鑑別部の鑑別により、金種が判明した正常な紙幣を格納する回収庫と、
前記入出金口と前記鑑別部の間で紙幣の搬送方向の切替えを行うブレードと、
前記ブレードと前記鑑別部の間で紙幣の通過を検知するセンサとを備え、
前記収納庫から紙幣を前記回収庫に回収する際に、前記回収庫がフルになったとき、前記鑑別部で正常と鑑別され、かつ前記センサを通過していない紙幣を、前記ブレードの案内により前記入出金口に搬送し、集積することを特徴とする金銭処理装置。
【請求項２】
請求項１において、
フルとなった前記回収庫の交換がされたとき、前記入出金口に集積した紙幣を取り込んで前記鑑別部を通過するまで搬送し、その後、紙幣を反対方向に搬送して再鑑別を行い、前記ブレードの案内により紙幣を前記回収庫へ搬送して集積することを特徴とする金銭処理装置。
【請求項３】
請求項１において、
フルとなった回収庫の交換が行われているときに、前記入出金口に集積した紙幣を取り込み、前記鑑別部により再鑑別を行って前記収納庫に搬送して戻し、前記回収庫の交換後、前記収納庫からの紙幣の回収を再開することを特徴とする金銭処理装置。
【発明の詳細な説明】
【技術分野】
【０００１】
本発明は、スーパーマケット等の店内で用いられるＰＯＳレジスタ等の金銭処理装置に関する。
【背景技術】
【０００２】
従来のこの種の金銭処理装置は紙幣入出金機と硬貨入出金機を備えており、店内で買物をした顧客の商品購入代金の入金や、釣銭の放出等の処理を行う。
この金銭処理装置において、紙幣入出金機内の紙幣を回収する場合、以下の手順で行われている。
まず、オペレータが所定の操作で回収を指示すると、紙幣収納庫から紙幣が一枚ずつ搬送路に繰り出され、搬送路により認識部に送られる。認識部で出金異常と認識された紙幣は、出金ＲＪ庫へ搬送して集積し、正常と認識された紙幣は回収庫へ搬送して集積する。
【０００３】
そして、紙幣収納庫の紙幣がすべて繰り出され、回収庫または出金ＲＪ庫に集積されると、この回収庫と出金ＲＪ庫が装置から取外され、これにより紙幣は回収される。（例えば、特許文献１参照。）。
【特許文献１】特開２０００‐１３２７２７公報（第４〜５頁）
【発明の開示】
【発明が解決しようとする課題】
【０００４】
しかしながら、上述した従来の技術においては、以下の問題がある。
すなわち、回収庫は紙幣収納庫より紙幣収納量が少ないため、回収の途中で回収庫のフルが検出されることがあり、このような場合には一度回収庫を取外し、空の回収庫と交換した後、紙幣収納庫からの紙幣の回収を再開する必要がある。
ところが、回収庫のフルを検出した時点で既に認識部での認識が終了した紙幣が搬送路に存在する場合、この紙幣はフル状態の回収庫に集積する必要があるため、フル状態の回収庫に送り込んで集積することなり、そのため前記搬送路に存在する紙幣の枚数が複数枚であると、無理に送り込むことになってジャム等が生じるという問題あった。
【０００５】
そこで、本発明は、上述した従来技術の課題を解決することを目的とする。
【課題を解決するための手段】
【０００６】
本発明は、上記課題を解決するために、入出金口と、前記入出金口から入金される紙幣や、紙幣を格納しておく収納庫と、前記入出金口と前記収納庫の間で紙幣の金種等の鑑別を行う鑑別部と、前記収納庫から紙幣を回収するときに、前記鑑別部の鑑別により、金種が判明した正常な紙幣を格納する回収庫と、前記入出金口と前記鑑別部の間で紙幣の搬送方向の切替えを行うブレードと、前記ブレードと前記鑑別部の間で紙幣の通過を検知するセンサとを備え、前記収納庫から紙幣を前記回収庫に回収する際に、前記回収庫がフルになったとき、前記鑑別部で正常と鑑別され、かつ前記センサを通過していない紙幣を、前記ブレードの案内により前記入出金口に搬送し、集積することを特徴とする。
【発明の効果】
【０００７】
これにより、フル状態の回収庫に紙幣を無理に送り込まなくて済むことになり、これによって、集積不良の発生を抑制できるという効果が得られる。
【発明を実施するための最良の形態】
【０００８】
以下に、図面を参照して本発明による紙幣入出金機の紙幣回収処理の実施例について説明する。
【実施例１】
【０００９】
図１は紙幣入出金機の内部構成を示す概略側面図であり、図２は図１の紙幣入出金機を備えた金銭処理装置の外観を示す斜視図である。
図２において、１は金銭処理装置で、硬貨入出金機２、紙幣入出金機３、本体部４及び装置を操作するオペレータに対して各種の表示を行う表示部５等を備えている。
ここで、この本体部４は、紙幣の金種や枚数等を記憶する一時記憶部、一時記憶部に記憶されている情報をレシート等の記録媒体に印字して発行する印字部、記憶部に格納されたプログラムに基づいてこれらを制御する制御部等を備えている。
【００１０】
図１において、１１は入出金口であり、紙幣入出金機３に入金を行う際にオペレータが紙幣をセットしたり、出金の際に紙幣が排出される部位である。
１２は千円収納庫であり、紙幣入出金機３内の後部側に配置され、釣銭用の千円券を予め格納したり、入金された千円券を格納する。
１３は千円収納庫１２と入出金口１１との間に配置された混合収納庫であり、入金された千円券以外のすべての金種を格納する。
【００１１】
１４は鑑別部であり、混合収納庫１３と入出金口１１の間に配置され、入金時又は出金時に通過する紙幣の真偽及び金種等の鑑別、搬送異常の検出等を行う。
１５は回収庫であり入出金口１１の下側に配置され、千円収納庫１２又は混合収納庫１３から紙幣を回収する際に紙幣を収納したり、入金された金種のうち出金に使用しない金種を格納する。
【００１２】
１６は回収庫１５の後方に配置された出金リジェクト庫（以下出金ＲＪ庫と記す。）であり、紙幣の出金や回収の際に鑑別部１４で出金不可と鑑別された紙幣を集積する。
１７は搬送路であり、この搬送路１７によって入出金口１１、回収庫１５、出金ＲＪ庫１６、千円収納庫１２、混合収納庫１３、鑑別部１４の各構成要素間で紙幣が搬送されるようになっている。
【００１３】
１８ａ〜１８ｃはブレードであり搬送路１７の分岐部及び合流部に設けられ、紙幣の搬送方向の切替えを行うように動作する。
ここでブレード１８ａは入出金口と鑑別部１４との間、ブレード１８ｂは回収庫１５と出金ＲＪ庫１６との間、ブレード１８ｃは千円収納庫１２と混合収納庫１３との間の分岐部及び合流部に設けられている。
【００１４】
１９はセンサでありブレード１８ａと鑑別部１４の間に配置されており、紙幣の通過を検知する。
２０は分離集積手段であり、入出金口１１、千円収納庫１２、混合収納庫１３に集積されている紙幣を搬送路１７に繰り出すためにそれぞれの所定の位置に設けており、紙幣を一枚づつ分離して取出せるように、ピックアップローラ、リバースローラ、フィードローラを備えている。
【００１５】
上述した構成の作用について説明する。
図３は実施例１の紙幣入出金機の紙幣回収処理を示すフローチャートであり、図４は実施例１のオーバーフローする紙幣の処理を示す図である。
図３のフローチャートを用いて、Ｓで示すステップに従って紙幣の回収処理を説明する。
なお、以下に説明する処理は前記本体部４に設けられた制御部により記憶部に格納されたプログラムに基づいて制御されるものとする。
紙幣入出金機３内の紙幣を全て回収する場合に、オペレータによる図示しない操作部の操作により回収指示（Ｓ１）が入力されると、搬送路１７を駆動して（Ｓ２）千円収納庫１２または混合収納庫１３から対応する分離集積手段２０により紙幣を分離する（Ｓ３）。
分離された紙幣は搬送路１７により鑑別部１４へ搬送されて紙幣の鑑別が行われる（Ｓ４）。
その結果、金種不明と鑑別された紙幣や搬送異常が検出された紙幣はブレード１８ａ、１８ｂの案内により出金ＲＪ庫１６に搬送されて収納される。
一方、金種が判明し、正常と鑑別された場合は、回収庫１５がフルになったが否かを判断し（Ｓ５）、回収庫１５が未だフルでない場合は、ブレード１８ａ、１８ｂの案内により、回収庫１５へ搬送して集積する（Ｓ６）。
次に、収納庫が空か否かを判断し（Ｓ７）、未だ千円収納庫１２又は混合収納庫１３が空になっていない場合は、ステップＳ３へ戻って処理を繰返す。
千円収納庫１２又は混合収納庫１３が空になっている場合は、それぞれの分離集積手段２０を停止する（Ｓ８）。
続いて搬送路１７の駆動を停止し（Ｓ９）、オペレータにより回収庫１５が取出されたことを図示しないセンサ等によって検知すると（Ｓ１０）、回収処理を終了する。
一方、ステップＳ５において、回収庫１５のフルが検出された場合は、分離集積手段２０を停止して千円収納庫１２又は混合収納庫１３からの紙幣の分離を停止する（Ｓ１１）。
このときステップＳ４で鑑別された各紙幣に対し、センサ１９を通過しているか否かが判断される（Ｓ１２）。
センサ１９を通過している紙幣の場合、前記の鑑別結果に従い、正常の紙幣は回収庫１５へ搬送して集積し、異常であれば出金ＲＪ庫１６へ搬送して集積する（Ｓ１３）。
一方、センサ１９を通過していない紙幣の場合は、その紙幣が正常と鑑別された紙幣であれば、紙幣がセンサ１９を通過するときに、ブレード１８ａが紙幣を入出金口１１へ案内する方向に切替えられ、これにより、紙幣は入出金口１１に搬送されて集積される。
また、鑑別結果が異常である紙幣については、ステップＳ１３と同じように出金ＲＪ庫１６に集積される（Ｓ１４）。
そして搬送路１７上の紙幣がなくなると、搬送路１７の駆動を停止する（Ｓ１５）。
その際、入出金口１１に紙幣が集積されている場合には、その抜取りを促すメッセージを表示部５に表示し、これによりオペレータは、回収庫１５の交換を行うと共に（Ｓ１６）、入出金口１１に集積された紙幣を抜取って回収する。
この場合、紙幣の抜取りを図示しないセンサにより検知すると、抜取られた紙幣の枚数等を印字部にてレシートに印字し、オペレータに発行して後の処理で紙幣との突合せができるようにする。
そして、前記のように回収庫１５を交換すると、その回収庫の交換、つまり装置への回収庫のセットと回収庫が空であることを検知して搬送路１７の駆動を再開し（Ｓ２）、千円収納庫１２又は混合収納庫１３の紙幣の分離を開始して再度回収動作が行われる。
【００１６】
以上説明したように、本発明によれば、紙幣の回収中に回収庫がフルになった際、搬送路にあって鑑別後の紙幣を検知するセンサを未だ通過していない紙幣のうち、鑑別結果が正常のものを入出金口に集積するため、フル状態の回収庫に紙幣を無理に送り込まなくて済むことになり、これによって集積不良の発生を抑制することができるという効果がある。
【実施例２】
【００１７】
図５は実施例２の入出金口に集積した紙幣の処理を示す図である。
なお、この実施例２の構成は上記実施例１と同じであるので、同一の符号を付してその説明を省略する。
次に、この実施例の作用について説明する。
まず、実施例１と同様に、千円収納庫１２又は混合収納庫１３から対応する分離集積手段２０によって紙幣を分離し、搬送路１７によって鑑別部１４へ搬送して紙幣の鑑別を行い、回収庫１５がフルになるまで、回収庫１５及び出金ＲＪ庫に紙幣の回収を行う。
【００１８】
回収庫１５がフルになった後は、分離集積手段２０を停止して収納庫からの紙幣の分離を停止し、鑑別部１４で鑑別された各紙幣に対してセンサ１９を通過しているか否かが判断される。
ここで、センサ１９を通過している紙幣は前記の鑑別結果に従って回収庫１５又は出金ＲＪ庫１６へ搬送して集積する。
【００１９】
また、センサ１９を通過していない紙幣は入出金口１１又は出金ＲＪ庫へ搬送して集積し、搬送路１７上の紙幣がなくなると、搬送路１７の駆動を停止する。
なお、入出金口に排出された紙幣の金種、枚数等は一時記憶部に記憶しておく。
そして、オペレータにより回収庫１５の交換が行われ、交換が図示しないセンサにより検知されると、搬送路１７を駆動する。そのとき、ブレード１８ａが回収庫１５又は出金ＲＪ庫１６へ案内する方向になっていた場合は、ブレード１８ａを鑑別部１４へ案内する方向に切替え、入出金口１１に集積されていた紙幣を、分離集積手段２０によって一枚毎に分離し、鑑別部１４を通過するまで搬送する。
【００２０】
紙幣が鑑別部１４を通過すると、今度は搬送路１７の駆動を一時停止し、搬送路を反対方向に再駆動して、ブレード１８ａを回収庫１５方向に切替える。
そして、鑑別部１４で金種の再鑑別と紙幣の計数を行い、ブレード１８ａの案内により回収庫１５へ搬送して集積する。
このようにして、入出金口１１の紙幣を取込み、再鑑別を行って回収庫１５に集積するが、その際、入出金口１１に紙幣が存在しなかった場合、あるいは入出金口１１から回収し、鑑別部１４にて再鑑別した紙幣の金種や枚数が一致しない場合は、オペレータにより誤って抜取られたことが考えられるため、エラーとし、その旨を表示部５に表示してオペレータに知らせる。
そして、抜取られた紙幣の枚数等を印字部にてレシートに印字し、オペレータに発行して後の処理で紙幣との突合せができるようにする。
【００２１】
その後、入出金口１１からの紙幣の回収が終わると、千円収納庫１２または混合収納庫１３の紙幣が対応する分離集積手段２０によって一枚づつ分離され、回収動作が再開される。
以上説明したように、本発明によれば、回収庫をオーバフローして入出金口に集積した紙幣について、取込みを行い、再鑑別をして回収庫に回収するため、回収紙幣の取扱が容易になり、オペレータの負担を軽減できる。
【実施例３】
【００２２】
図６は実施例３の入出金口に集積した紙幣の処理を示す図である。
なお、この実施例３の構成は上記実施例１および２と同じであるので、同一の符号を付してその説明を省略する。
次に、この実施例の作用について説明する。
まず、実施例１および２と同様に、千円収納庫１２又は混合収納庫１３から対応する分離集積手段２０によって紙幣を分離し、搬送路１７によって鑑別部１４へ搬送して紙幣の鑑別を行い、回収庫１５がフルになるまで、回収庫１５及び出金ＲＪ庫１６に紙幣の回収を行う。
【００２３】
回収庫１５がフルになった後は、分離集積手段２０を停止して収納庫からの紙幣の分離を停止し、鑑別部１４で鑑別された各紙幣に対してセンサ１９を通過しているか否かが判断される。
センサ１９を通過している紙幣は前記の鑑別結果に従って回収庫１５又は出金ＲＪ庫１６へ搬送して集積し、センサ１９を通過していない紙幣は入出金口１１又は出金ＲＪ庫１６へ搬送して集積し、搬送路１７上の紙幣がなくなると、搬送路１７の駆動を停止する。
【００２４】
なお、入出金口に排出された紙幣の金種、枚数等も前記実施例と同様に一時記憶部に記憶しておく。
そして、オペレータによって回収庫１５の交換が行われている間に、搬送路１７を駆動し、ブレード１８ａが回収庫１５又は出金ＲＪ庫１６の方向になっていた場合は、ブレード１８ａを鑑別部１４へ案内する方向に切替えて入出金口１１に集積されていた紙幣を、分離集積手段２０によって一枚毎に分離する。
分離した紙幣は、センサ１９を通って鑑別部１４に搬送し、金種の再鑑別と紙幣の計数を行い、その鑑別結果に応じてブレード１８ｃの案内により、千円収納庫１２または混合収納庫１３に搬送して戻す。
【００２５】
なお、前記のように入出金口に紙幣が存在しなかった場合、あるいは入出金口１１から回収し、鑑別部１４にて再鑑別して各収納庫に集積した紙幣の金種や枚数が一致しない場合は、オペレータにより誤って抜取られたことが考えられるため、エラーとし、紙幣が誤って抜取られた旨を表示部に表示してオペレータに知らせる。
そして、抜取られた紙幣の枚数等を印字部にてレシートに印字し、オペレータに発行して後の処理で紙幣との突合せができるようにする。
その後、回収庫１５の交換が図示しないセンサにより検知されることによって、千円収納庫１２又は混合収納庫１３から紙幣が対応する分離集積手段２０によって一枚毎に分離され、回収動作が再開される。
【００２６】
以上説明したように、本発明によれば、入出金口に一時的に集積した紙幣を、回収庫の交換が行われている間に、入出金口から収納庫へ搬送して集積し、その後に回収庫への紙幣の回収動作を再開することにより、オーバーフローして入出金口に集積された紙幣について、短時間で回収庫に回収できるという効果がある。
なお、上記各実施例では、各収納庫が空になるまで紙幣を回収するものとして説明したが、各収納庫から指定枚数回収する場合にも、本実施例を適用することができる。
【００２７】
但し、この場合は、各収納庫から紙幣を分離するときに紙幣の分離枚数を数え、紙幣が指定枚数分離されたら分離動作を停止することとして処理を行い、その後は各実施例と同様に回収処理が行われるものとする。
また、本発明は、入出金口、回収庫、出金ＲＪ庫、千円券収納庫、千円券以外の金種の混合収納庫から構成される装置での適用例で説明したが、入出金口と出金口が別である装置や、収納庫が３個以上ある装置の場合でも、回収の際に回収庫をオーバーフローする紙幣について、集積不良の発生を抑制して、短時間で別の回収庫に回収することができる。
【図面の簡単な説明】
【００２８】
【図１】紙幣入出金機の内部構成を示す概略側面図
【図２】紙幣入出金機を備えた金銭処理装置の外観を示す斜視図
【図３】実施例１の紙幣入出金装置の紙幣回収処理を示すフローチャート
【図４】実施例１のオーバーフローする紙幣の処理を示す図
【図５】実施例２の入出金口に集積した紙幣の処理を示す図
【図６】実施例３の入出金口に集積した紙幣の処理を示す図
【符号の説明】
【００２９】
１  金銭処理装置
２  硬貨入出金機
３  紙幣入出金機
４  本体部
５  表示部
１１  入出金口
１２  千円収納庫
１３  混合収納庫
１４  鑑別部
１５  回収庫
１６  出金ＲＪ庫
１７  搬送路
１８ａ〜１８ｃ  ブレード
１９  センサ
２０  分離集積手段
【図１】
2006011691.tif 000003
【図２】
2006011691.tif 000004
【図３】
2006011691.tif 000005
【図４】
2006011691.tif 000006
【図５】
2006011691.tif 000007
【図６】
2006011691.tif 000008